(57)【要約】      （修正有）【課題】震動感知作用を有し、強い発光作用を発現する震動点滅装置を提供する。【解決手段】この装置は回路コンポーネント３、電力供給コンポーネント５、震動スイッチ６、透光性の封装体７を有する震動点滅素子２と、発光装置とを備え、震動スイッチ６は中空の金属部品６１、金属ボール、絶縁部品６３、金属桿６４からなり、金属部品は一方が開口端、他方が密封端で絶縁部品によりカバーされ、金属ボールが金属部品の中に揺動可能に設置され、金属桿は絶縁部品の中に挿し込まれて一端が金属部品内に挿通され他端がプリント基板と電気的に接続され、装飾主体Ｍ上の装飾部品１に結合される。【選択図】図１
0003147369.tif 000002
【実用新案登録請求の範囲】
【請求項１】
回路コンポーネント（３）、電力供給コンポーネント（５）、震動スイッチ（６）、透光性の封装体（７）を有する少なくとも一つの震動点滅素子（２）と、
少なくとも一つの発光装置（４）とを備え、
装飾主体（Ｍ）に結合される震動点滅装置であって、
前記回路コンポーネント（３）はプリント基板（３１）、及びこのプリント基板（３１）に電気的に接続される回路制御コンポーネント３２を含み、
前記電力供給コンポーネント（５）は前記回路コンポーネント（３）と電気的に接続されて、電源を供給し、
前記震動スイッチ（６）は中空の金属部品（６１）、金属ボール（６２）、絶縁部品（６３）、金属桿（６４）により構成され、前記金属部品（６１）の両端は一方が開口端（６１１）で、他方は密封端（６１２）で絶縁部品（６３）により密封され、前記金属ボール（６２）は前記金属部品（６１）の中に固定されることなく揺動可能に設置され、前記金属桿（６４）は前記絶縁部品（６３）の中に挿し込まれて、その一端が前記金属部品（６１）内に挿通され、他端が前記プリント基板（３１）と電気的に接続され、
前記プリント基板（３）、前記電力供給コンポーネント（５）、前記震動スイッチ（６）は前記透光性の封装体（７）により被覆され、
前記発光装置（４）は前記プリント基板（３１）と電気的に接続され、
前記震動点滅素子（２）及び前記発光装置（４）は前記装飾主体（Ｍ）上の装飾部品（１）に結合され、前記装飾部品（１）は底材（１１）と、表面に模様があり、且つ、底材（１１）の上に被覆される被覆材（１２）とからなり、前記底材（１１）と前記被覆材（１２）の周縁（１３）が封止されて前記装飾部品（１）内に形成された空腔（１４）に前記震動点滅素子（２）が設置固定され、前記封止周縁（１３）が前記装飾主体（Ｍ）の表面に結合される、
ことを特徴とする震動点滅装置。
【請求項２】
装飾主体（Ｍ）は文房具、紡織物から選択されることを特徴とする請求項１に記載の震動点滅装置。
【請求項３】
底材（１１）、被覆材（１２）の素材はプラスチック、紡織布、機械刺繍布から選択されることを特徴とする請求項１に記載の震動点滅装置。
【請求項４】
発光装置（４）はプリント基板（３１）と電気的に接続される軟性プリント基板（４１）、及び前記軟性プリント基板（４１）の一側面に設置される複数のＬＥＤ（４２）とにより構成され、複数のＬＥＤ（４２）の発光が回路コンポーネント（３）により制御されることを特徴とする請求項１に記載の震動点滅装置。
【請求項５】
発光装置（４）は少なくとも一つのＬＥＤ（４２）がプリント基板（３１）の一側面に電気的に接続設置されて構成されることを特徴とする請求項１に記載の震動点滅装置。
【請求項６】
回路控制コンポーネント（３２）は、震動スイッチ（６）に電気的に接続され、触発信号を発生する触発素子（３３）と、前記触発信号を受けて、駆動信号を発生する制御素子（３５）と、前記駆動信号によりＬＥＤ（４２）を駆動する駆動素子（３４）と、前記ＬＥＤ（４２）の煌く時間を決定する遅らす素子（３６）とを有し、前記ＬＥＤ（４２）を順番に煌かせることを特徴とする請求項１に記載の震動点滅装置。
【請求項７】
金属部品（６１）の開口端（６１１）は金属カバー（６５）によりカバーされることを特徴とする請求項１に記載の震動点滅装置。
【請求項８】
装飾部品（１）の中に前記装飾部品（１）の総容積の８０％以下を占める気体（８）が充填されて、被覆材（１２）が膨み、皺がなく、また前記装飾部品（１）の緩衝作用を有することを特徴とする請求項１に記載の震動点滅装置。
【請求項９】
封装体（７）は液体エポキシ樹脂により形成され、保護殻として構成されることを特徴とする請求項１に記載の震動点滅装置。
【請求項１０】
装飾部品（１）の周縁（１３）は装飾主体（Ｍ）の表面に、線で裁縫、又は高周波融合により固定されることを特徴とする請求項１に記載の震動点滅装置。
【考案の詳細な説明】
【技術分野】
【０００１】
本考案は、文房具、紡織用品などに使用する震動点滅装置に関する。
【背景技術】
【０００２】
人類が進化できるのは、人類が新しい物事を探求する好奇心があり、人類が新しいことに努めようとする原動力があるからである。人類はいつまでも様々なことを感じ、追求する。
【０００３】
近時、盛況な電子産業とＬＥＤ産業の影響を受けて、発光装置に使用する電子装置が縮小化され、これが普及化されたことで、市場に様々な震動点滅装置を有する装置が出されている。この震動点滅装置は震動すると、不断にきらきらと発光し、周囲の注目を引く効果を有する。この装置は、特に夜間で、人の歩きにつれてきらきらと発光し変化し、美観と警告の二重の効果を兼ね備えている。この種の装置は特許文献１などに記載されているので、参照されたい。
【０００４】
【特許文献１】実用新案登録願第３１４４５５７号
【考案の開示】
【考案が解決しようとする課題】
【０００５】
しかしながら、上記従来の震動点滅装置では、次のような問題がある。
（１）従来の震動点滅装置では、震動スイッチの内部でスプリングが揺れ動き、このスプリングの接触により、回路を導通させるため、実際の使用時に、装置が受ける震動の幅が小さすぎると、回路がまったく導通されず、発光装置が煌かないことがあり、使いにくい感がある。
したがって、震動スイッチの震動感知作用を向上させ、微小な震動の幅の状態でも、震動を有効に感知して、発光装置を点滅発光させることが、本考案が解決しようとする第１の課題である。
（２）従来の震動点滅装置では、製造を容易にするために、一般に発光体がプリント基板に設置されるため、点滅する部位が一箇所に集中しすぎて、発光作用が単調となり、用途が限られてしまう。
したがって、発光体の取付位置を効果的に増やし、発光作用を増加させて、震動点滅装置の用途を拡大することが、本考案が解決しようとする第２の課題である。
【０００６】
本考案はこのような従来の課題を解決するものであり、優れた震動感知作用を有し、まばゆいばかりの発光作用を発現して、用途の拡大を図る震動点滅装置を提供することを目的とする。
【課題を解決するための手段】
【０００７】
上記目的を達成するために、本考案の震動点滅装置は次のような構成を備えることを特徴とする。
［１］震動点滅装置は装飾主体（Ｍ）と結合できる。せめて一つ震動点滅素子（２）、これが回路コンポーネント（３）である。この回路コンポーネント（３）はプリント基板（３１）、このプリント基板と電気連接する回路控制コンポーネント（３２）を含んでいる。
少なくとも一つ以上の発光装置（４）はこのプリント基板（３１）と電気連接する。
電力供給コンポーネント（５）は上記の回路コンポーネント（３）と電気連接し、電源を供給する。
震動スイッチ（６）は中空の金属部品（６１）、滾る金属ボール（６２）、絶縁部品（６３）と金属桿（６４）から構成する。この金属部品（６１）の両端はそれぞれが開口端（６１１）と密封端（６１２）である。上記の滾る金属ボールは（６２）この金属部品（６１）の中で固定しなく設置する。この絶縁部品（６３）はこの金属部品（６１）の密封端（６１２）にカバーする。この金属桿（６４）はこの絶縁部品（６３）の中に挿し込み、この金属桿（６４）の一端が金属部品（６１）におり、他端がプリント基板（３１）と電気連接する。
透光性の封装体（７）は上記のプリント基板（３）、電力供給コンポーネント（５）と震動スイッチ（６）を被覆する。
少なくとも一つは装飾主体（Ｍ）の上の装飾部品（１）を結合する。それは底材（１１）、表面に模様があり、且つ、底材（１１）の上に被覆する被覆材（１２）から構成する。上記の底材（１１）、被覆材（１２）の周縁（１３）が封入してから空腔（１４）になり、上記の震動点滅素子（２）を固定して置き、封入する周縁（１３）が紡織装飾主体（Ｍ）と表面で結合する。
［２］上記の装飾主体（Ｍ）は以下、文房具、紡織物の一つである。
［３］上記の底材（１１）、被覆材（１２）の素材は以下、プラスチック、紡織布、機械刺繍布の一つである。
［４］上記の発光装置（４）はプリント基板（３１）と電気的に連接する軟性プリント基板（４１）、複数の軟性プリント基板の一側面（４１）に設置し、且つ、ＬＥＤが回路コンポーネント（３）に発光するかどうかことを控えられる。
［５］上記の発光装置（４）はせめて一つがプリント基板（３１）一側面に設置し、且つ、電気的に連接するＬＥＤ（４２）から構成されている。
［６］上記の回路控制コンポーネント（３２）は触発素子（３３）、その震動スイッチ（６）と電気連接により、触発信号を発生し、駆動装置（３４）が上記のＬＥＤ（４２）を駆動し、控制素子（３５）が触発信号を受け、駆動素子（３３）まで駆動信号を発生することにより、このＬＥＤ（４２）が順番に煌き、遅らす素子（３６）により、ＬＥＤ（４２）の煌く時間を決定する。
［７］上記の金属部品（６１）の開口端（６１１）は金属カバー（６５）により、この金属部品（６１）の外部にカバーすることから構成されている。
［８］上記の装飾部品（１）の中で充填の気体（８）により、被覆材（１２）が膨らめ、皺がなく、装飾部品（１）が緩衝作用を有し、上記の気体（８）が上記の装飾部品（１）の総容積の８０％以下を占める。
［９］上記の封装体（７）は液体エポキシ樹脂により、封入してから、且つ、凝固し、成型になる保護殻である。
［１０］上記の装飾部品（１）の周縁（１３）は装飾主体（Ｍ）の表面に以下の一つ方法、線で裁縫、高周波融合で固定する。
【考案の効果】
【０００８】
本考案の震動点滅装置は、上記の各構成により、次のような作用効果を有する。
［１］封装体（７）で回路コンポーネント（３）を封入し、電力供給コンポーネント（５）と震動スイッチ（６）により、本考案に絶佳な防水効果がなされ、且つ、上記のコンポーネントを安定して保護できる。
［２］金属部品（６１）と滾る金属ボール（６２）などのコンポーネントと取り合わせて使い、金属の電気的に伝導する特性を利用し、震動スイッチが鋭敏な電導通の効果がある。完全に震動の幅が小さいのせいで、きらきら発光することは予期と違って、発生することができないということを妨げる。
［３］装飾部品（１）により、使用者に多様な見かけの選択を提供し、人が新しいものに追求する需要に該当する。文房具や紡織用品の趣味性とまばゆい効果を増える。
［４］発光装置（４）の中で、軟性プリント基板（４１）がＬＥＤ（４２）と取り合わせ、発光体を取り付ける位置を増え、全体の発光の効果が従来の震動点滅装置と違い、応用の方面が向上できる。
以上、この震動点滅装置によれば、震動の感知がよく、発光の効果がよく、応用の方面が広く、まばゆい効果を現すことができる。
【考案を実施するための最良の形態】
【０００９】
次に、本考案を実施するための最良の形態について図を用いて説明する。図１乃至図７に本考案品の震動点滅装置の第１の実施の形態を示している。
【００１０】
図１及び図２に示すように、震動点滅装置は、回路コンポーネント３、電力供給コンポーネント５、震動スイッチ６、透光性の封装体７を有する少なくとも一つの震動点滅素子２と、少なくとも一つ以上の発光装置４とを備え、図６及び図７に示すように、装飾主体（Ｍ）に結合される。
【００１１】
回路コンポーネント３は、プリント基板３１と、このプリント基板３１と電気的に接続される回路制御コンポーネント３２とを含んでいる。図３に回路制御コンポーネント３２の回路ピンの構成を示し、図４に回路控制コンポーネント３の回路構成を示している。これら図３、図４に示すように、回路制御コンポーネント３２はプリント基板３１の回路（不図示）を通じて、複数のＬＥＤ４２、遅らす素子３６、電力供給コンポーネント５、震動スイッチ６、震動電気抵抗Ｒと電気的に接続される。この回路制御コンポーネント３２では、触発素子３３が震動スイッチ６と電気的に接続されると、触発信号を発生する。この触発信号は控制素子３５で受け、制御素子３５は駆動素子３４に駆動信号を送出する。そして遅らす素子３６でＬＥＤ４２の煌く時間を決め、駆動素子３４によりＬＥＤ４２を駆動し、ＬＥＤ４２を順次煌めかせる。震動素子３７と点滅周期素子３８はある頻率の電子信号を発生し、触発素子３３と遅らす素子３６に動かさせる。この場合、控制素子３５は二つの控制スイッチＫ１、Ｋ２で、これらの控制スイッチＫ１、Ｋ２が同時に作動すると、使用時の需要により、ＬＥＤ４２を順番にｎ回繰り返して煌くように制御する。スイッチＫ１、Ｋ２のいずれか一方が作動すると、使用時の需要により、ＬＥＤ４２を順番にＮ±Ｘ回繰り返して煌くように制御する。スイッチＫ１、Ｋ２のいずれもが動かないときは、使用時の需要により、ＬＥＤ４２を順番にＮ±Ｙ回繰り返して煌くように制御する。図５にこの回路控制コンポーネント３の処理の流れを示している。震動スイッチが触発信号を発生すると（Ａ）、回路控制コンポーネントが触発信号を受けて、繰延時間を遅らせる（Ｂ）。そして、駆動信号を発生してＬＥＤを駆動する（Ｃ）。この場合、ＬＥＤは煌く時間の中で順番に煌くように制御する（Ｄ）。煌くことが終わってから、回路控制コンポーネントは繰延時間を遅らせるように制御することができる（Ｅ）。つまり、ＬＥＤ４２が煌く時間の中で順番に煌くときに、震動スイッチ６が再び震動を受けると、この繰延時間を経てから、回路控制コンポーネント３２まで触発信号を送り、上記の順番を繰り返す。ＬＥＤ４２の点滅の異常な順番が起きる。簡単に言えば、ＬＥＤが煌く時間の中で発生する信号にこの回路控制コンポーネント３２はできさせない（disable）。
【００１２】
電力供給コンポーネント５は回路コンポーネント３と電気的に接続され、電源を供給する。この電力供給コンポーネント５はリチウム電池などの電池も可能であり、十分な電源を供給することができ、使用時間が延ばすことができる。
【００１３】
震動スイッチ６は中空の金属部品６１、金属ボール６２、絶縁部品６３、金属桿６４から構成される。金属部品６１の両端は一方が開口端６１１で金属カバー６５により封止され、他方が密封端６１２で絶縁部品６３によりカバーされる。金属ボール６２は金属部品６１の中で固定することなしに設置され、震動により揺れ動くようになっている。この金属桿６４は絶縁部品６３の中心に挿し込まれて、一端が金属部品６１内に挿通配置され、他端がプリント基板３１と電気的に接続される。なお、金属部品６１の開口端６１１を金属カバー６５で密封するのは金属ボール６２が取り付けやすくなるからであり、且つ、金属カバー６５が直接に溶接し、電源の導線、金属導桿６４、或いは、一体成形の金属桿プリント基板３１と連接する場合に好ましい。また、金属部品６１、金属ボール６２、絶縁部品６３、金属桿６４、金属カバー６５の表面に電気めっきを施し、即ち、一層の金属の導電層を加えることにより、導電効果を増大させることができる。金属部品６１、金属カバー６５は分離して製作するので、電気めっきの金属導電層を形成するのによい。
【００１４】
これらプリント基板３、電力供給コンポーネント５、震動スイッチ６は透光性の封装体７で被覆される。封装体７は成形型に液体エポキシ樹脂が封入され、且つ凝固されて形成された保護殻であり、液体エポキシ樹脂を用いたことにより最高の防水と保護機能を有する。この封装体７は装飾主体Ｍ上の装飾部品１に結合される。
【００１５】
装飾主体Ｍは文房具、紡織物から選択される。なお、本考案品と結合して固定するなら、例えば、縫いぐるみ、帽子、手袋などに適用でき、本考案の適用範囲は極めて広い。装飾部品１は底材１１と、表面に模様があり、底材１１の上に被覆される被覆材１２とからなり、底材１１、被覆材１２の周縁１３が封止され、この装飾部品１内の空腔１４に設置固定された震動点滅素子２が封入され、封止された周縁１３が装飾主体Ｍの表面に結合される。この場合、底材１１、被覆材１２の材質はプラスチック、紡織布、機械刺繍布から選択される。底材１１、被覆材１２の両方が共にプラスチックの場合、防水、防潮効果が高い。また、この装置では震動点滅素子２が封装体７で封入されて防水能力がよいので、底材１１は底布、被覆材１２が機械刺繍布など自由な組み合わせが選べる。装飾部品１の周縁１３と装飾主体Ｍの表面は線材で裁縫により固定するか、又は高周波融合の加工技術を利用して高周波融合により貼り付け固定する。このいずれかの固定方式によるかは装飾主体Ｍの材質によって決定すればよい。例えば、装飾主体Ｍがナイロン材質の服、靴下、かばんなどならば、高周波融合技術を利用することが固定しやすく、毛織物、絨で作る衣服、かばんならば、線で裁縫する方が好ましい。また、底材１１、被覆材１２の封止に当たり、この装飾部品１の中には、気体８が充填される。気体８の充填により、被覆材１２が膨張して、皺がなく、また装飾部品１に一定の緩衝作用が生じ、何かにをぶつかっても、内部の各装置が壊れるのを防止することができる。この場合、気体８は装飾部品１の内部の総容積の８０％以下を占めるべきである。これと異なる割合になると、効果が違ってくる。例えば、気体の量が２０％よりも少ないと、緩衝効果がなく、気体の量が８０％よりも多いと、被覆材５１が膨らみすぎて、変形し、整えた形体の美観が低下することになる。したがって、気体８の充填量は総容積の８０％以下を占めるのがよい。
【００１６】
発光装置４は少なくとも一つのＬＥＤ４２により構成され、プリント基板３１の一側面に設置され、プリント基板３１と電気的に接続される。この場合、一つ又は複数の多彩な或いは単色の発光ダイオードで構成することができ、発光を多様に変化させるなど、使用者の需要に対応させることができる。
【００１７】
この震動点滅装置では、震動点滅素子２を上に向けて垂直に置くと、金属ボール６２が揺動により金属桿６４に接触可能となる。この金属ボール６２が震動を受けて金属桿６４に接触すると、金属部品６１と金属桿６４が導通する。この震動感知作用は適当で、回路制御コンポーネント３２により、発光装置４が鋭敏に発光する作用が生じる。一般のスプリング式の震動スイッチは鋭敏すぎるために、電力供給コンポーネントの消耗が多すぎて、使用時間が短縮する問題があったが、このボール感知式の震動点滅素子２によれば使用寿命を大幅に延ばすことができる。この金属部品６１と金属ボール６２を組み合わせた震動スイッチ６は非常に鋭敏な電気導通作用を有し、震動の幅が小さすぎる場合でも、信号を発生して、発光装置をきらきらと発光させることができる。
【００１８】
また、この装置は装飾部品１と結合されるので、また違う底材１１と被覆材１２を組み合わせることで、使用者は装置に多様な外観を作り出すことができ、多様な外観からこの装置を選択することができる。これは人の新しい物を追求しようとする要求に適合し、文房具や紡織用品に適用することで、その趣向性やまばゆい効果は増大する。また、この装置の場合、回路コンポーネント３、電力供給コンポーネント５、震動スイッチ６が封装体７に封入されているので、確実な防水効果がある。また、装飾部品１の底材１１と被覆材１２が布であるが、水が浸入しないので、各コンポーネントは安定して保護されることになる。
【００１９】
以上説明したように、この震動点滅装置によれば、震動の感知作用、発光効果に優れ、まばゆいばかりの効果を発現して、用途の拡大を図ることができる。図１１に第１の実施の形態を衣服に適用した場合の具体例を示す。図１１に示すように、発光装置４はプリント基板３１とＬＥＤ４２との組み合わせであり、底材１１は底布、被覆材１２は機械刺繍布のバッジとして構成され、このバッジは本考案品の震動点滅作用により、装飾主体Ｍ（衣服）に一般的なバッジと違う感じを与え、これが使用者固有の特徴となる。
【００２０】
図８乃至図１０に本考案品の震動点滅装置の第２の実施の形態を示している。第２の実施の形態では、発光装置の構成が第１の実施の形態と異なっている。図８、図９、及び図１０に示すように、発光装置４は軟性プリント基板４１と複数のＬＥＤ４２とからなり、軟性プリント基板４１がプリント基板３１と電気的に接続され、この軟性プリント基板４１の一側面に複数のＬＥＤ４２が設置されて、これらＬＥＤ４２の発光が回路コンポーネント３により制御されるように構成される。この装置では、軟性プリント基板４１に複数のＬＥＤ４２が取り付けられるので、発光体の取付位置が増えて、また違った発光効果があり、従来の震動点滅装置と異なり、使用方法の拡大を図ることができる。また、この軟性プリント基板４１には軟性体が使われることで、この基板をくねらせても、短絡が生じにくく、また、金属の使用量を低減して、コストを下げることができ、さらに、全体の体積が縮小して重量が低下し、使用者が使うときでも、負担を感じることなく、安心して安全に使うことができる。図１２に第２の実施の形態をハンドかばんに適用した場合の具体例を示す。図１２に示すように、発光装置４は軟性プリント基板３とＬＥＤ４２の組み合わせであり、長条状の形態で設置され、装飾主体Ｍにまた違う感じを与え、使用者の性格、個性が完璧に現われる。このように発光装置４は使用範囲が増大し、使用者の需要に合せて、さまざまな違いのある発光効果を提供することができ、発光効果の変化が増え、実用性、経済的価値を向上させることができる。
【００２１】
本考案品はまた違う装飾部品１と結合したり、新しい震動スイッチ６を使って、また違った発光装置４と組み合わせたりすることで、使用者にもっと多様な外観や立体感を提供することができ、この考案品の選択の幅を拡大することができ、人が新しいものを追求することにも対応できる。文房具、紡織用品の趣向性とまばゆい効果は増大し、従来の震動点滅装置と比べて、その効用と実用性は一層大きいものとなる。
【００２２】
以上は図面を示すことによって、本考案の構造、特徴、作用の効果を詳細に実施例で説明する。新規性と進歩性に該当するので、法律によって、実用新案の出願を提出する。
本考案は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図面の簡単な説明】
【００２３】
【図１】本考案の第１の実施の形態における震動点滅装置の構成を示す斜視図
【図２】同装置の要部の構成を示す分解斜視図
【図３】同装置に採用される回路制御コンポーネントの回路ピンの構成を示す図
【図４】同装置に採用される回路制御コンポーネントの回路構成を示す図
【図５】同装置に採用される回路制御コンポーネントの制御手順を示す流れ図
【図６】同装置が装飾主体に結合された状態の構成を示す側面断面図
【図７】同装置が装飾主体に結合された状態のまた別の構成を示す側面断面図
【図８】本考案の第２の実施の形態における震動点滅装置の構成を示す斜視図
【図９】同装置が装飾主体に結合された状態の構成を示す側面断面図
【図１０】同装置が装飾主体に結合された状態のまた別の構成を示す側面断面図
【図１１】本考案の第１の実施の形態における震動点滅装置の具体的な適用例を示す図
【図１２】本考案の第２の実施の形態における震動点滅装置の具体的な適用例を示す図
【符号の説明】
【００２４】
１  装飾部品
１１  底材
１２  被覆材
１３  周縁
１４  空腔
２  震動点滅素子
３  回路コンポーネント
３１  プリント基板
３２  回路控制コンポーネント
３３  触発素子
３４  駆動素子
３５  控制素子
３６  遅らす素子
３７  震動素子
３８  点滅周期素子
４  発光装置
４１  軟性プリント基板
４２  ＬＥＤ
５  電力供給コンポーネント
６  震動スイッチ
６１  金属部品
６１１  開口端
６１２  密封端
６２  滾る金属ボール
６３  絶縁部品
６４  金属桿
６４１  接触端
６４２  連接端
７  封装体
８  充填の気体
Ｍ  装飾主体
Ｋ１  スイッチ
Ｋ２  スイッチ
Ｒ  震動電気抵抗
Ａ  震動スイッチが発生する触発信号
Ｂ  回路控制コンポーネントが触発信号を受け、繰延時間を遅らす
Ｃ  震動信号を発生するＬＥＤ
Ｄ  煌く時間でＬＥＤが順番に煌くことを控える
Ｅ  煌くことが終わってから、回路控制コンポーネントは繰延時間を遅らすことを控えることができる
【図１】
0003147369.tif 000003
【図２】
0003147369.tif 000004
【図３】
0003147369.tif 000005
【図４】
0003147369.tif 000006
【図５】
0003147369.tif 000007
【図６】
0003147369.tif 000008
【図７】
0003147369.tif 000009
【図８】
0003147369.tif 000010
【図９】
0003147369.tif 000011
【図１０】
0003147369.tif 000012
【図１１】
0003147369.tif 000013
【図１２】
0003147369.tif 000014